(57)【要約】      （修正有）【課題】看板システムがコンパクトで、取付・施工も簡単で、光源の電気消費量が少なく、寿命も長く、維持管理の費用負担も少なく、清掃等の保守作業が極めて簡単容易で、模様替えや破損等にも簡単、光源の光を効率良く看板照射に利用でき、強風等への品質の安定性に優れた性能が改良された壁面直付型照明看板装置を提供する。【解決手段】壁面１上に設けた上下一組の看板取付用取付具５，６と、断面が略長円形の筒状成形体と、前記筒状成形体短径方向の後側壁に照明用薄型光源モジュールが装着され、筒状成形体短径方向の後側壁の上部と下部とに前記壁面１上の看板取付用取付具に対し着脱可能の懸架部材２５ｂを備えた看板ユニット２とを備え、筒状成形体の前側前面体が光透過性で、後側背面体が透明性である。【選択図】図１
2009063800.tif 000002
【特許請求の範囲】
【請求項１】
壁面上に設けた上下一組の看板取付用取付具と、断面が略長円形の熱可塑性合成樹脂筒状成形体と、前記筒状成形体短径方向の後側壁に照明用薄型光源モジュールが装着され、筒状成形体短径方向の後側壁の上部と下部とに前記壁面上の看板取付用取付具に対し着脱可能の懸架部材を備えた看板ユニットとを備え、前記熱可塑性合成樹脂筒状成形体の前側前面体が光透過性で、後側背面体が透明性であることを特徴とする壁面直付型照明看板装置。
【請求項２】
前記照明用薄型光源モジュールはＬＥＤ、有機ＥＬ、無機ＥＬ等からなる照明用薄型光源で、合成樹脂、金属等からなる箱状容器部品に配設装着されていることを特徴とする請求項１に記載の壁面直付型照明看板装置。
【請求項３】
前記透明性熱可塑性合成樹脂からなる背面体後側壁に、照明用薄型光源モジュール装着用凹陥部を持つことを特徴とする請求項１、または請求項２に記載の壁面直付型照明看板装置。
【請求項４】
前記透明性熱可塑性合成樹脂からなる背面体後側壁の長さ方向に平行な中央部分に、照明用薄型光源モジュール装着用凹陥部を持つことを特徴とする請求項１〜請求項３のうち、いずれか１項に記載の壁面直付型照明看板装置。
【請求項５】
前記筒状成形体の透明性熱可塑性合成樹脂からなる背面体後側壁の照明用薄型光源モジュールが装着される部分に、開口部を持つことを特徴とする請求項１〜請求項４のうち、いずれか１項に記載の壁面直付型照明看板装置。
【請求項６】
壁面上に設けた上下一組の看板取付用取付具と、断面が略長円形の熱可塑性合成樹脂筒状成形体と、前記筒状成形体短径方向の後側壁に照明用薄型光源モジュールが装着され、筒状成形体短径方向の後側壁の上部と下部とに前記壁面上の看板取付用取付具に対し着脱可能の懸架部材を備えたライン部看板ユニットとを備え、前記熱可塑性合成樹脂筒状成形体の前側前面体が光透過性で、後側背面体が半透明乃至不透明性であり、照明用薄型光源モジュールが装着される部分に開口部があることを特徴とする請求項２に記載の壁面直付型照明看板装置。
【請求項７】
前記後側背面体後側壁の部分に照明用薄型光源モジュール装着用凹陥部を持ち、照明用薄型光源モジュールが装着される部分に開口部を持つことを特徴とする請求項２または請求項６に記載の壁面直付型照明看板装置。
【請求項８】
前記後側背面体後側壁の長さ方向に平行な中央部分に照明用薄型光源モジュール装着用凹陥部を持ち、照明用薄型光源モジュールが装着される部分に開口部を持つことを特徴とする請求項２、請求項６、または請求項７のうち、いずれか１項に記載の壁面直付型照明看板装置。
【請求項９】
前記照明用薄型光源モジュールが装着される部分にある開口部に、透明性合成樹脂製蓋が設けられていることを特徴とする請求項５〜請求項８のうち、いずれか１項に記載の壁面直付型照明看板装置。
【請求項１０】
前記壁面上の看板取付用取付具が、略水平方向に設けた上下１組の看板取付レールであることを特徴とする請求項１〜請求項９のうち、いずれか１項に記載の壁面直付型照明看板装置。
【発明の詳細な説明】
【技術分野】
【０００１】
本発明は壁面直付型照明看板装置に関し、更に詳しくは、建築物又は構築物の壁面などに直付けして看板面材を設け、その裏側から照明することにより、明るい表示を浮かび上がらせるように構成した看板装置に関するものである。
【背景技術】
【０００２】
従来から、建築物又は構築物の壁面に直付けして看板を設けることが行われている。そして看板の中で、表面に模様や文字などを表示した乳白色半透明の平板体を前面に設け、その裏側より照明を当てることにより、観察者の目を引きやすい明るい表示を現出する、所謂内照式の看板も多く用いられている。
【０００３】
また、このような内照式看板には、前面からしか観察できない平坦な形状のものの他に、例えば店の前等に置かれて前後双方から観察できる独立型のスタンド看板や、例えば店の軒先や欄間等に設けられて斜め前方からも観察できる、立体化した形状の壁面直付型看板など、種々の形態のものがある。そして、これらの立体化した看板は、例えば光透過性の乳白色半透明合成樹脂板（乳半板）などを用いて、真空成形やブロー成形などの手段により所望の形状の看板面材を成形し、金属製などの枠体などに嵌め込んで形成されるのが普通であった。
【０００４】
ところが、こうした内照式看板は、内部に照明用光源取り付け用の器具等を設けているために、金属製などの堅固な看板面体取付枠材を使用する必要があり、またこのような光源から発生する熱による空気の膨張収縮があるので、看板を密封構造とすることができない。そのため、空気の呼吸に伴って看板内部に水分が浸入することにより、前記の枠材が腐食して寿命を縮め、或いは、こうして発生した錆や内部に侵入した塵埃や昆虫等のために、看板面体の内面が汚染され、従って、分解して清掃するなどに、余分の維持費用がかかるという問題があった。
【０００５】
また、壁面直付型看板は、取り付け場所の状況に応じてデザインされるのが一般的であり、特に店舗の軒先や欄間等に設けられる大型の壁面直付型看板などでは、取り付け壁面の屈折状況、或いは取り付け位置や寸法などが一旦決定された後は、デザインの変更ができない。従って、店舗の模様替えや増設等の際には、従来の壁面直付型看板を廃棄すると共に、新しい壁面直付型看板を作製して取り付ける必要があり、また使用中に看板の一部が破損した場合、看板面体の全体を交換しなければならないため、回収再利用の不能な廃棄物が発生するばかりでなく、不経済であるという問題もあった。
【０００６】
これらを改良した透光性の熱可塑性樹脂を用いて盤状中空成形体を一体成形し、この一体成形により、該中空成形体の壁面止着側の背面壁に内方に突出する光源配設用凹陥部と壁面側への止着部とを設けて、この凹陥部内に光源を配設するとともに、止着部に壁面への止着手段を設ける看板構造体（例えば、特許文献１を参照）、壁面上に略水平方向に設けた上下１組の看板取付レールと、前記１組の看板取付レールの中間位置に設けた照明用光源と、長手方向を略水平に向けた略偏平形状の光透過性合成樹脂中空直筒体よりなるライン部看板ユニットとを少なくとも備え、前記看板取付レールに懸架結合できる上下１組の懸架部材を、前記ライン部看板ユニットの後側面の上部と下部とに配設した取付座体を介して、前記ライン部看板ユニットの後側面に近接して設けた連合式看板装置（例えば、特許文献２を参照）、また中空体に侵入した微小の虫、粉塵を除くことができない、中空であるが故に光透過性が不十分で照度が上がらず暗い、また照明用光源の蛍光灯に直接さらされる中空直筒体背面体の凹陥部が蛍光灯の紫外線によって黄変劣化し光透過性が低下するなどの問題があった。また、使用される合成樹脂の品質のばらつきにより施工並びに強風等により破損し易いという品質上の問題もあった。
また、さらに照明用光源が蛍光灯であるために、蛍光灯の製品寿命が短いのでタマ切れが頻繁に発生し、その都度蛍光灯管を交換する必要があったり、電気消費量が高いため、長時間連続使用する看板においては、電気代が非常に嵩み、保守、維持管理の費用負担も大きかったり、蛍光灯であるために看板システムが嵩張り、コンパクト化が不十分であったりした。
【特許文献１】特開平１１−１３３８９５号公報（特許請求の範囲の欄、発明の詳細な説明の欄における｛発明の実施の形態｝の段落｛００１５｝〜｛００４０｝、及び図１〜図８を参照）
【特許文献２】特開２０００−３２２０１１号公報（特許請求の範囲の欄、発明の詳細な説明の欄における｛発明の実施の形態｝の段落｛００１２｝〜｛００２６｝、及び図１〜図１０を参照）
【発明の開示】
【発明が解決しようとする課題】
【０００７】
本発明は、従来の壁面直付型照明看板における上述のような問題点に鑑み、看板システムがコンパクトで嵩張らず、看板システムの取付、施工も簡単で、光源の電気消費量が少なく、且つ寿命も長く、維持管理の費用負担も少なく、また清掃等の保守作業が極めて簡単容易であると共に、模様替えや破損等にも簡単、且つ経済的に対応することができ、光源の光を効率良く看板照射に利用できると共に、強風等への品質の安定性に優れた性能を有する改良された壁面直付型照明看板装置を提供することを目的としたものである。
【課題を解決するための手段】
【０００８】
上記の目的を達成することができる本発明の第１発明は、請求項１に記載された通りの壁面直付型照明看板装置であり、壁面上に設けた上下一組の看板取付用取付具と、断面が略長円形の熱可塑性合成樹脂筒状成形体と、前記筒状成形体短径方向の後側壁に照明用薄型光源モジュールが装着され、筒状成形体短径方向の後側壁の上部と下部とに前記壁面上の看板取付用取付具に対し着脱可能の懸架部材を備えた看板ユニットとを備え、前記熱可塑性合成樹脂筒状成形体の前側前面体が光透過性で、後側背面体が透明性である構成である。
【０００９】
上記の目的を達成することができる本発明の第２発明は、請求項２に記載された通りの壁面直付型照明看板装置であり、請求項１に記載の発明に加えて、前記照明用薄型光源モジュールはＬＥＤ、有機ＥＬ、無機ＥＬ等からなる照明用薄型光源で、合成樹脂、金属等からなる箱状容器部品に配設装着されている構成である。
【００１０】
上記の目的を達成することができる本発明の第３発明は、請求項３に記載された通りの壁面直付型照明看板装置であり、請求項１、または請求項２に記載の発明に加えて、前記透明性熱可塑性合成樹脂からなる背面体後側壁に、照明用薄型光源モジュール装着用凹陥部を持つ構成である。
【００１１】
上記の目的を達成することができる本発明の第４発明は、請求項４に記載された通りの壁面直付型照明看板装置であり、請求項１〜請求項３のうち、いずれか１項に記載の発明に加えて、前記透明性熱可塑性合成樹脂からなる背面体後側壁の長さ方向に平行な中央部分に、照明用薄型光源モジュール装着用凹陥部を持つ構成である。
【００１２】
上記の目的を達成することができる本発明の第５発明は、請求項５に記載された通りの壁面直付型照明看板装置であり、請求項１〜請求項４のうち、いずれか１項に記載の発明に加えて、前記筒状成形体の透明性熱可塑性合成樹脂からなる背面体後側壁の照明用薄型光源モジュールが装着される部分に開口部を持つ構成である。
【００１３】
上記の目的を達成することができる本発明の第６発明は、請求項６に記載された通りの壁面直付型照明看板装置であり、請求項２に記載の発明に加えて、壁面上に設けた上下一組の看板取付用取付具と、断面が略長円形の熱可塑性合成樹脂筒状成形体と、前記筒状成形体短径方向の後側壁に照明用薄型光源モジュールが装着され、筒状成形体短径方向の後側壁の上部と下部とに前記壁面上の看板取付用取付具に対し着脱可能の懸架部材を備えたライン部看板ユニットとを備え、前記熱可塑性合成樹脂筒状成形体の前側前面体が光透過性で、後側背面体が半透明乃至不透明性であり、照明用薄型光源モジュールが装着される部分に開口部がある構成である。
【００１４】
上記の目的を達成することができる本発明の第７発明は、請求項７に記載された通りの壁面直付型照明看板装置であり、請求項２または請求項６に記載の発明に加えて、前記後側背面体後側壁の部分に照明用薄型光源モジュール装着用凹陥部を持ち、照明用薄型光源モジュールが装着される部分に開口部を持つ構成である。
【００１５】
上記の目的を達成することができる本発明の第８発明は、請求項８に記載された通りの壁面直付型照明看板装置であり、請求項２、請求項６または請求項７のうち、いずれか１項に記載の発明に加えて、前記後側背面体後側壁の長さ方向に平行な中央部分に照明用薄型光源モジュール装着用凹陥部を持ち、照明用薄型光源モジュールが装着される部分に開口部を持つ構成である。
【００１６】
上記の目的を達成することができる本発明の第９発明は、請求項９に記載された通りの壁面直付型照明看板装置であり、請求項５〜請求項８のうち、いずれか１項に記載の発明に加えて、前記照明用薄型光源モジュールが装着される部分にある開口部に、透明性合成樹脂製蓋が設けられている構成である。
【００１７】
上記の目的を達成することができる本発明の第１０発明は、請求項１０に記載された通りの壁面直付型照明看板装置であり、請求項１〜請求項９のうち、いずれか１項に記載の発明に加えて、前記壁面上の看板取付用取付具が、略水平方向に設けた上下１組の看板取付レールである構成である。
前記懸架部材が、前記看板取付レールに対して着脱可能に構成されていると、設置後の看板装置においても、任意の看板ユニットを取り外して交換することができ、従って、また任意の位置に設けた照明用光源の交換や修理などを簡単に行うことができる。その上、前記看板取付レールに対する懸架部材が、前記看板取付レールに沿って摺動可能に構成されていると、看板ユニットが損傷したときなどに、損傷した看板ユニットを取り外した後に、隣接した看板ユニットを順次に移動させることができる上、交換用の看板ユニットを補充されるまでの間、損傷した看板ユニットを最も目立たない位置に取り付けておくなどして、極めて容易に外観上の被害を最小限に抑えることができる。さらに、また看板の補修を行う際の、古い看板ユニットと新しい看板ユニットとが隣接することによる見栄えの低下も、容易に避けることができる。
【発明の効果】
【００１８】
（１）壁面上に設けた看板取付レールに対して、照明用薄型光源モジュールが装着された断面が略長円形の光透過性熱可塑性合成樹脂筒状成形体よりなる看板ユニットを、着脱並びに摺動可能に取り付けてなるので、清掃や修理、部品交換、あるいは部品等の回収再利用も容易であり、保守管理の費用を減少させる上に、廃棄物の量の抑制にも有効である。
（２）前記照明用薄型光源モジュールが、ＬＥＤ、有機ＥＬ、無機ＥＬ等の薄型光源が配設装着されている、合成樹脂、金属等からなる箱状容器部品からなるので、筒状成形体への取り付けが容易であり、これら光源は、従来の蛍光灯に比べ、小さく、薄型であるので、看板ユニットは、格段に薄くコンパクトにすることができる。また、電気消費量も格段に少なく、製品寿命も長いので、保守管理費用が大幅に軽減される。例えば、ＬＥＤの場合、電気消費量は蛍光灯に比べ１／３ほどであり、製品寿命は５万時間ほどであるので、一度装着すると、１０年間ほど光源の取替えが要らないほどであるので、維持管理費が大幅に軽減される。
（３）ＬＥＤ、有機ＥＬ、無機ＥＬ等からなる薄型光源モジュールは、水銀フリーで、バラエティ豊かな光色を有し、さらに水銀汚染問題を回避することができる。
（４）バラエティ豊かな光色を有するので、看板の前面板の色彩を変えることなく、薄型光源モジュールを違った色彩のＬＥＤ、有機ＥＬ、無機ＥＬ等からなる光源モジュールに変えることにより、看板の色彩を容易に変えることができ、新しい看板に作り替える必要がない。
（５）前記合成樹脂筒状成形体の前面体が、光透明性のアクリル樹脂、平均分子量２５０００以上の光透明性のポリカーボネート樹脂、光透明性のポリエチレンテレフタレート樹脂、光透明性の非晶性ポリエステル樹脂、非晶性ポリエステル共重合体等からなると施工、強風に対し安定した性能を得ることができる利点が得られる。
（６）前記合成樹脂筒状成形体の背面体の薄型光源モジュールが配設されない部分の内側面、または外側面に白色塗料などの光反射機能膜を設けると、筒状成形体に入射した光が中空体内で効率的に反射され、著しい照度向上が得られる。
（７）前記合成樹脂筒状成形体の背面体が、半透明乃至不透明性熱可塑性樹脂からなると、光漏れがなく効率良く高い照度が得られる。半透明乃至不透明性熱可塑性樹脂が光反射性を有すると、光の吸収が抑えられ、更に高い照度が得られる。
（８）前記合成樹脂筒状成形体の背面体に、照明用薄型光源モジュールを収容する凹陥部があると、照明用薄型光源モジュールが筒状成形体に取り込まれ、背面体壁面と照明用薄型光源モジュールの底面とが略同一の平らな面になるので、ライン部看板ユニットのコンパクト化を一層図ることができる。
（９）前記照明用薄型光源モジュールが装着される部分に開口部があると、光源の光は背面体を介することなく開口部を通して直接看板ユニットの前面体を照射するので光の損失が少なく明るく、密封でないので気温や気圧の変動による変形を防ぐことができ、中空体に浸入した微細な虫、粉塵を除け、筒状成形体内部の清掃もできる等の利点が得られる。
（１０）前記照明用薄型光源モジュールが装着される部分にある開口部に蓋を設ける場合、背面体より薄く、透明性が良好な透明性合成樹脂を用いることにより、光源の光透過性が高く、高い照度が得られる。
【実施例】
【００１９】
本発明の壁面直付型照明看板装置の一例を、図に基づいて説明する。図１はコンビニエンスストアの前面の欄間位置に設けられる横長の内照式看板の例を示したものである。図１において、１は内照式看板を設置する壁であり、２はライン部看板ユニット、３はコーナー部看板ユニットである。
【００２０】
図２はライン部看板ユニット２の断面を示したものである。ライン部看板ユニット２はその裏面側の上下部に設けられた懸架部材２５ａ、２５ｂにより、壁面１に取り付けられた上下２本の看板取付レール部材５、６に、着脱可能且つ左右摺動可能に結合される。
【００２１】
本発明の壁面直付型照明看板装置に用いられるライン部看板ユニット２は、熱可塑性合成樹脂の筒状成形体からなり、前面体２１と背面体２２とを接着、融着、嵌合、等の接合により得られた、横長の筒状成形体よりなる中空体である。熱可塑性合成樹脂としては、透明性、光沢性等優れたアクリル樹脂、ポリカーボネート樹脂、ポリエチレンテレフタレート樹脂、非晶性ポリエステル樹脂、非晶性ポリエステル共重合体等が適する。前面体２１と背面体２２の接合は、接着、融着、嵌合等による接合であるので、組合せに制限がなく、品質の要求に従って選択が可能である。
図２および図３はライン部看板ユニット２の断面を示したものである。図２は薄型光源モジュール収容用凹陥部２ａを持ち、凹陥部に開口部がない場合、図３は前記の凹陥部２ａに開口部２ｂがある場合である。２１が前面体、２２が背面体、２ａが照明用薄型光源モジュール収容用凹陥部、２ｂが開口部、２３が光反射機能膜、２４ａ、２４ｂが上下の溝型取付座体、２５ａ、２５ｂが看板取付レール部材５、６に対する懸架部材である。図４Ａおよび図４Ｂは薄型光源モジュールを未装着の看板ユニット後側背面体の外観斜視図である。図４Ａは前記の薄型光源モジュール収容用あり溝を有する凹陥部２ａに開口部がない場合、図４Ｂは前記の凹陥部２ａに開口部２ｂがある場合である。２ａが薄型光源モジュール収容用凹陥部を、２ｂが開口部を示したものである。図５は、開口部２ｂに取り付ける蓋２ｃの外観斜視図である。図６は、ＬＥＤを配設装着した薄型光源モジュール２ｄの外観斜視図である。図７は、薄型光源モジュール２ｄを装着した筒状成形体の断面図である。
【００２２】
本発明の壁面直付型照明看板装置に用いられるライン部看板ユニット２は、熱可塑性合成樹脂の成形体からなり、横長の筒状成形体である。筒状成形体の前側前面体２１は、光透過性熱可塑性合成樹脂からなる。光透過性熱可塑性合成樹脂としては、透明性、光沢性等の光学的性質、耐風圧強度に優れたアクリル樹脂、平均分子量２５０００以上のポリカーボネート樹脂、ポリエチレンテレフタレート樹脂、非晶性ポリエステル樹脂、非晶性ポリエステル共重合体等が好ましい。平均分子量２５０００に達しないポリカーボネート樹脂の場合は、品質の安定性に劣り強風に曝されると強度劣化を起こしたり、看板としての機能を果たすことができなくなる恐れがある。
筒状成形体の後側背面体２２には、透明性の熱可塑性合成樹脂でも、半透明乃至不透明性の熱可塑性合成樹脂でも適するが、半透明乃至不透明性の熱可塑性合成樹脂の場合は、光源の光が、前面体２１の照射に必要な開口部が必須である。透明性の熱可塑性合成樹脂としては、アクリル樹脂、ポリカーボネート樹脂、ポリエチレンテレフタレート樹脂、非晶性ポリエステル樹脂、非晶性ポリエステル共重合体等が好ましく、半透明乃至不透明性の熱可塑性合成樹脂は、透明性熱可塑性合成樹脂を半透明乃至不透明化したものの外に、ＡＢＳ樹脂、ＡＥＳ樹脂、アクリル変性塩化ビニル樹脂、ポリプロピレン樹脂等の元々半透明乃至不透明性である合成樹脂も適する。図２、図３に示すように、その断面は略長円形であるが、直線部分を含んで、例えば略長方形状などに類するように構成されていてもよい。そして、前面体２１は厚さ２〜５ｍｍの乳白色半透明板などで成形されたものであることが好ましく。また、背面体２２は厚さ２〜５ｍｍの板で成形されたものであることが好ましく、半透明乃至不透明性合成樹脂からなる場合は、光反射性を持つ半透明乃至不透明板で成形されたものがより好ましい。
【００２３】
薄型光源モジュール２ｄを装着する背面体壁は、窪みのない平らな面でも良いが、薄型光源モジュール２ｄを収容した上下側壁面を傾斜させた箱型容器を背面体２２に形成したあり溝形状の凹陥部２ａに摺動させながら収納するもので、薄型光源モジュール２ｄが筒状成形体に取り込まれ、背面体壁面と薄型光源モジュール２ｄの底面とが略同一の平らな面になり、ライン部看板ユニットのコンパクト化を一層図ることができる。凹陥部２ａが背面体２２後側壁の中央部に長さ方向と平行に設けられると、光源の光がより均一に前面体２１を照射できるので好ましい。
【００２４】
薄型光源モジュール収容凹陥部２ａには、開口部２ｂを設けても良いし、開口部２ｂは、図５に示すような透明性の蓋２ｃで閉じられても良い。蓋２ｃは、板厚が背面体２２より薄く、光透過性が優れた板を使用すると、光透過度が向上し明るい看板ユニットが得られる。蓋は、蝶番により開閉可能にしても、スライド式により開閉可能にしても良い。更に、ビス等で固定し必要に応じ開閉できるようにしても良い。蓋の取り付け、開閉方法は特定しないし、又蓋を用いることなく、開口部を開口したまま使用しても良い。
【００２５】
背面体２２の薄型光源モジュール２ｄが配設される部分を除いて、背面体２２の内側面、または外側面に白色塗料などの光反射機能膜２３を設けると、筒状成形体に入射した照明用光源からの光が光反射機能膜２３で反射し、前面体２２の全面から効率良く出射するようになる。
【００２６】
前記筒状成形体は、例えば、合成樹脂板からの真空成形、圧空成形等により前面体２１、背面体２２を形成し、次いで、前面体２１と背面体２２を接着、融着、嵌合等により接合して作製する方法、また２枚の合成樹脂板からツィンコンポジット成形法、二重シート成形法等のシートブロー成形等で作製する方法があるが、作製方法は限定されないものである。背面体凹陥部２ａの開口２ｂは、成形後に行う。
また、前面体２１と背面体２２に同じ種類の合成樹脂を使用しても良いし、互いに異なる種類の合成樹脂を組み合せて使用しても良い。
【００２７】
このようなライン部看板ユニット２は、前述のように前面体２１と背面体２２とを接合した中空体であるが、気温や気圧の変動に伴う変形を防ぐために、背面体２２の上部及び／又は下部の適宜の位置に複数の通気孔を設け、例えば撥水性の多孔質シート等を用いた通気栓等を嵌着しておくことが好ましい。
【００２８】
照明用薄型光源モジュール２ｄは、ＬＥＤ、有機ＥＬ、無機ＥＬ等の照明用薄型光源が配設装着されている。薄型光源モジュール２ｄは、合成樹脂、金属等の箱状容器部品に収容されてなるもので、箱状容器には、透明なフィルム又は透明なシート等からなる蓋が用いられても良い。ＬＥＤ光源の場合は、例えば、箱状容器の底に、広角発光ＬＥＤチップを上下・左右均等に３０〜６００個並べて点滅が可能なように電気配線を行って配置する。この場合は、筒状成形体前面体２１表面と薄型光源モジュール２ｄとの距離が約１５ｍｍ〜３００ｍｍ程度であり、ＬＥＤチップの発光角度は、６０°〜１２０°であり、ＬＥＤチップを配置する間隔は、上下・左右とも１０ｍｍ〜１００ｍｍの範囲の間隔であることが好ましい。また、複数個のＬＥＤパッケージからなる照明用ＬＥＤモジュールとして市販されているものを、箱状容器の底に装着して作製しても良い。この場合は、簡便に照明用薄型光源モジュール２ｄを作製できる。市販されている照明用ＬＥＤモジュールとしては、三菱電機オスラム株式会社から市販されているバックライト白色明るさ寿命改善タイプ（Ｗ２）、バックライトセカンドゼネレーションＬＥＤパッケージ４個タイプ（ＢＬ０４Ｓ）等がある。図６は、三菱電機オスラム株式会社のバックライトセカンドゼネレーションＬＥＤパッケージ４個タイプ（ＢＬ０４Ｓ）の装着例である。
【００２９】
薄型光源モジュール２ｄの背面体壁２２への装着は、ビス、接着テープ、シール剤、接着剤等で装着固定を行っても良いが、装着方法は制限しない。図７は、ライン部看板ユニット２の凹陥部２ａに薄型光源モジュール２ｄを装着した場合の断面図である。
【００３０】
また、ライン部看板ユニット２の背面体２２には、凹陥部２ａを挟んで上部と下部とに、看板取付レール部材５、６に対する懸架部材２５ａ、２５ｂを装着するための、溝型取付座体２４ａ、２４ｂが設けられている。ライン部看板ユニット２の背面体２２にそれぞれ設けられた、このような溝型取付座体２４ａ、２４ｂには、懸架部材２５ａ、２５ｂがそれぞれの端から挿入して取り付けてある。
【００３１】
本発明の内照式看板において、ライン部看板ユニット２を懸架する看板取付レールは、上看板取付レール５と下看板取付レール６とから構成されている。かかる看板取付レール５、６は、いずれも、例えば長尺のアルミニウム押出型材などからなるもので、図８に示すように、看板の取り付け壁面１に水平方向に取り付けてある。これらの上看板取付レール５、及び下看板取付レール６を壁面１に取り付けるに際しては、先ず上看板取付レール５を水平となるよう取り付ける。そして、上看板取付レール５と下看板取付レール６とを所定の間隔を取って、平行に壁面１に設置固定する。
【００３２】
このようにして、壁面１に、図８に示すように、上看板取付レール５及び下看板取付レール６が取り付けられ、上看板取付レール５及び下看板取付レール６に対して、ライン部看板ユニット２が懸架される。
【００３３】
ライン部看板ユニット２に装着された懸架部材２５ａ、２５ｂは、例えば、図９のＡ、Ｂ及び図１０のＡ、Ｂに示すような構造を有する、例えば、長尺のアルミニウム押出型材などからなるものである。一方、看板取付レール部材５、６も、例えば、同じく図９のＡ、Ｂ及び図１０のＡ、Ｂに示すような構造を有する、例えば、長尺のアルミニウム押出型材などからなるもので、図８に示すように、看板の取り付け壁面１に水平方向に取り付けてある。
【００３４】
このような看板取付レール部材５、６に対して、ライン部看板ユニット２を懸架するには、先ず図９のＢに示すように、懸架部材２５ａの係合板部２５ａ３を斜め下方に傾けた姿勢で、看板取付レール部材５の係合突起部５ｃの下側に挿入し、次いで水平方向の位置、即ち図９のＡの状態にすると、懸架部材２５ａの係合溝２５ａ２及び係合板部２５ａ３が、看板取付レール部材５の支持端５ｂ及び係合突起部５ｃにそれぞれ係合し、同時に懸架部材２５ａの当接面２５ａ１が、看板取付レール部材５の当接面５ａに当接する。
【００３５】
こうして、ライン部看板ユニット２が看板取付レール部材５に対して懸架されると、図１０のＡのように、懸架部材２５ｂの第１当接面２５ｂ１及び第２当接面２５ｂ２が、看板取付レール部材６の第１当接面６ａ及び第２当接面６ｂにそれぞれ当接し、それと同時に、懸架部材２５ｂの係止爪２５ｂ３が看板取付レール部材６の係止肩６ｃに係合する。そのため、懸架部材２５ｂと看板取付レール部材６との係合状態が保持され、その結果として、ライン部看板ユニット２は確実に看板取付レール部材５，６に懸架されることになる。
【００３６】
このようにして懸架されたライン部看板ユニット２を、看板取付レール部材５、６から取り外すには、先ず図１０のＢのように、懸架部材２５ｂの係合外しボタン２５ｂ５を押す。そうすると、スプリング２５ｂ４の付勢力に抗して係止爪２５ｂ３が係止肩６ｃから外れる。そこで懸架部材２５ｂを看板取付レール部材６から離すと、懸架部材２５ａと看板取付レール部材５との係合状態は簡単に解除され、ライン部看板ユニット２は、看板取付レール部材５に対して単に懸架された状態になる。従ってライン部看板ユニット２は、看板取付レール部材５から取り外すことも、また看板取付レール部材５に懸架したまま任意の位置まで移動させることもできるものである。
【００３７】
また、本発明の壁面直付照明看板装置には、更に必要に応じてコーナー部看板ユニット３やエンドカバー４を取り付けることができる。ここで用いられるコーナー部看板ユニット３は、ライン部看板ユニット２と同様に、光透過性熱可塑性合成樹脂で形成された成形体を用いて構成されたものである。かかるコーナー部看板ユニット３の縦断面の表側形状は、ライン部看板ユニット２の表側形状と略一致する前面板を備え、またその両側面が背後方の鉛直線位置で交差するように、後すぼみ状の横断面を有する。あるいは看板取付壁面１のコーナー部１ａの角度に対応した扇状乃至弧状となっているものである。
【００３８】
このようなコーナー部看板ユニット３は、図１１に示すように、壁面１のコーナー部１ａに設けるほかに、１個以上のライン部看板ユニット２が設けられた看板の両側端、或いは一方側端に設けて、側端部にもライン部と同様なデザインを表した看板を構成することもできる。そして、壁面のコーナー部１ａにコーナー部看板ユニット３を設けるに当たっては、例えばＬ字型などの固定金具３１を介して固定するか、又は着脱可能に懸架することができる。こうして取り付けられたコーナー部看板ユニット３は、ライン部看板ユニット２が隣接して設けられているので、隣接したライン部看板ユニット２の側端部から漏れ出る照明光が、コーナー部看板ユニット３の側端部から供給されることになるから、コーナー部看板ユニット３には、特に照明用光源を設ける必要がない。
【００３９】
また、ライン部看板ユニット２やコーナー部看板ユニット３を設けてなる看板の、両側端或いは一方側端には、必要に応じて、図１２に示すようなエンドカバー４を設けることができる。このようなエンドカバー４は、看板の側端部から漏れ出る照明光を制限する必要があるときに設けるもので、光遮断性能が高ければどのような材料を用いて形成してもよいが、製造の容易さや耐久性等の点からは、アルミニウム板などにより形成することが好ましい。そして壁面１にエンドカバー４を取り付けるに当たっては、例えばＬ字型などの固定金具４１を用いて壁面１に固定することができる。
【図面の簡単な説明】
【００４０】
【図１】本発明の壁面直付型照明看板装置の設置状態の１例を示す外観斜視図である。
【図２】本発明の壁面直付型照明看板装置に用いられるライン部看板ユニットの構造を示す断面図で、薄型光源モジュール収容用凹陥部を持ち、薄型光源モジュール装着部に開口がない場合である。
【図３】本発明の壁面直付型照明看板装置に用いられるライン部看板ユニットの構造を示す断面図で、薄型光源モジュール収容用凹陥部を持ち、薄型光源モジュール装着部に開口部がある場合である。
【図４】Ａは、ライン部看板ユニットの後側背面体の外観斜視図で、薄型光源モジュール収容用凹陥部に開口部がない場合である。Ｂは、薄型光源モジュール収容用凹陥部に開口部がある場合である。
【図５】開口部用蓋の外観斜視図である。
【図６】ＬＥＤを配設装着した場合の薄型光源モジュールの外観斜視図である。
【図７】照明用薄型光源モジュールを装着した場合の断面図である。
【図８】本発明の壁面直付型照明看板装置に用いられる看板取付レール設置状態の例を示す外観斜視図である。
【図９】本発明の壁面直付型照明看板装置のライン部看板ユニットを看板取付レールに懸架する懸架部材の実施例の構造を示し、Ａは上部看板取付レール部材と上部懸架部材の懸架状態を、またＢは上部看板取付レール部材から上部懸架部材を開放した状態を、それぞれ示す断面図である。
【図１０】本発明の壁面直付型照明看板装置のライン部看板ユニットを看板取付レールに懸架する懸架部材の実施例の構造を示し、Ａは下部看板取付レール部材と下部懸架部材の懸架状態を、Ｂは下部看板取付レール部材から下部懸架部材を開放した状態を、それぞれ示す断面図である。
【図１１】本発明の壁面直付型照明看板装置に用いられるコーナー部看板ユニットの形状と取付状態を示す外観斜視図である。
【図１２】本発明の壁面直付型照明看板装置に用いられるエンドカバー体の形状と取り付状態を示す外観斜視図である。
【符号の説明】
【００４１】
１・・・・壁面                          １ａ・・・・コーナー部
２・・・・ライン部看板ユニット          ２ａ・・・・凹陥部
２ｂ・・・・開口部                        ２ｃ・・・・蓋
２ｄ・・・・照明用薄型光源モジュール      ２ｅ・・・・ＬＥＤパッケージ
２１・・・・前面体                        ２２・・・・背面体
２３・・・・光反射機能膜                ２４ａ・・・・溝型取付座体    
２４ｂ・・・・溝型取付座体                ２５ａ・・・・懸架部材
２５ａ１・・・・当接面                    ２５ａ２・・・・係合溝
２５ａ３・・・・係合板部                    ２５ｂ・・・・懸架部材
２５ｂ１・・・・第１当接面                ２５ｂ２・・・・第２当接面
２５ｂ３・・・・係止爪                    ２５ｂ４・・・・スプリング
２５ｂ５・・・・係合外しボタン                  ３・・・・コーナー部看板ユニット
３１・・・・固定金具                        ４・・・・エンドカバー体
４１・・・・固定金具                        ５・・・・上看板取付レール部材
５ａ・・・・当接面                        ５ｂ・・・・支持端
５ｃ・・・・係合突起部                      ６・・・・下看板取付レール部材
６ａ・・・・第１当接面                    ６ｂ・・・・第２当接面
６ｃ・・・・係止肩
【図１】
2009063800.tif 000003
【図２】
2009063800.tif 000004
【図３】
2009063800.tif 000005
【図４】
2009063800.tif 000006
【図５】
2009063800.tif 000007
【図６】
2009063800.tif 000008
【図７】
2009063800.tif 000009
【図８】
2009063800.tif 000010
【図９】
2009063800.tif 000011
【図１０】
2009063800.tif 000012
【図１１】
2009063800.tif 000013
【図１２】
2009063800.tif 000014